(57)【要約】      （修正有）【課題】プレスロック解除構造を備えたイージーロックコネクタを提供する。【解決手段】本考案はフラットワイヤと回路基板へ応用する一種のプレスロック解除構造を備えたイージーロックコネクタ１０を提供するものである。フラットワイヤ頭部先端両側には其々ギャップとアース線がある。イージーロックコネクタは上部シェル１２、下部シェル１４、ラバーコア１６と端子１８を含む。フラットワイヤのギャップが下部シェルのストッパー部材と組み合った後、プレス部材を押すことによって、プレス部材から下部シェルの弾性部材へ外力が加わり、弾性部材に変形が生じる。弾性部材が下部シェルの延長アームを連動させストッパー部材を一方向へ作動させ、ストッパー部材とギャップの組み合わせ状態を解除する。他の実施例中ではイージーロックコネクタは鉄シェルシールドを加えることによって電磁シールドの効果を得ることもできる。【選択図】図１
0003233851.tif 000002
【実用新案登録請求の範囲】
【請求項１】
フラットワイヤと回路基板に応用され、フラットワイヤの頭部先端両側に其々ギャップとアース線がある、プレスロック解除構造を備えたイージーロックコネクタであって、
上部シェルは回路基板上に設置されており、前記上部シェルは第一収容スペースを形成し、前記上部シェルは上部本体とプレス部材を備えており、前記プレス部材は空洞部を通して上部本体の両側に形成され、
下部シェルは第一収容スペースに設置されており、前記下部シェルは第二収容スペースを形成し、前記下部シェルは弾性部材、ストッパー部材、延長アームと下部本体を備えており、前記弾性部材はプレス部材の位置に対応して別々に前記下部本体の両側に設置され、前記ストッパー部材は前記ギャップと組み合うように、前記ギャップに基づいて設置され、前記ストッパー部材は前記延長アームを介して前記弾性部材に連結され、
ラバーコアは第二収容スペースに設置されており、前記ラバーコアは挿入口、作用部と開口部を形成し、前記挿入口はフラットワイヤの差し込みと取り外しが可能となっており、前記作用部は前記弾性部材と前記開口部に結合して前記弾性部材と共に設置されるために使用され、
端子はフラットワイヤを電気的に連結するためにラバーコアに設置され、
前記フラットワイヤの前記ギャップが前記ストッパーと組み合った後、前記プレス部材を押すことにより、前記プレス部材が前記弾性部材に外力を加えて前記弾性部材に変形を生じさせ、前記弾性部材が前記延長アームを連動して前記ストッパー部材を一方向に作用させ、前記ストッパー部材が前記ギャップと組み合っている状態を解除することを特徴とする、プレスロック解除構造を備えたイージーロックコネクタ。
【請求項２】
前記作用部は傾斜面を提供しており、前記プレス部材が前記傾斜面に作用した後、前記プレス部材の位置は前記傾斜面に限定配置され、前記弾性部材の変形量と前記傾斜面の傾斜率を関連させることを特徴とする、請求項１に記載のプレスロック解除構造を備えたイージーロックコネクタ。
【請求項３】
前記上部シェルは更に第一固定部材を含み、前記第一固定部材は前記上部本体の両側に形成され、前記第一固定部材は前記回路基板を固定するためのものであり、或いは、前記下部シェルは更に前記第一固定部材を含み、前記第一固定部材は前記下部本体の両側に形成され、前記第一固定部材は前記回路基板を固定することを特徴とする、請求項１に記載のプレスロック解除構造を備えたイージーロックコネクタ。
【請求項４】
前記プレス部材に外力が加えられていないとき、前記弾性部材と前記プレス部材は接触或いは未接触の状態であることを特徴とする、請求項１に記載のプレスロック解除構造を備えたイージーロックコネクタ。
【請求項５】
前記上部シェルは更に凸リブを含み、前記凸リブは弾性部材に対応して設置され、前記凸リブは前記第一収容スペースに向かって凸出していることを特徴とする、請求項１に記載のプレスロック解除構造を備えたイージーロックコネクタ。
【請求項６】
前記上部シェルは更に第二固定部材を含み、前記第二固定部材は前記上部シェルの前記第一収容スペースに形成されており、前記第二固定部材は前記ラバーコアの前記開口部に設置され、前記ラバーコアの位置を前記第一収容スペースに限定配置させることを特徴とする、請求項１に記載のプレスロック解除構造を備えたイージーロックコネクタ。
【請求項７】
前記弾性部材はＲ角のＵ字型部位を有しており、その一端は前記上部シェルの内壁に設置されていることを特徴とする、請求項１に記載のプレスロック解除構造を備えたイージーロックコネクタ。
【請求項８】
前記下部シェルは更に第二下部シェル接地部材を含み、前記第二収容スペースに形成しており、前記第二下部シェル接地部材は前記下部シェルから前記第二収容スペースに向かって延長し、前記フラットワイヤの前記アース線に接触していることを特徴とする、請求項１に記載のプレスロック解除構造を備えたイージーロックコネクタ。
【請求項９】
前記ラバーコアの前記作用部は凹溝となっており、前記傾斜面は前記凹溝内に形成されていることを特徴とする、請求項２に記載のプレスロック解除構造を備えたイージーロックコネクタ。
【請求項１０】
前記傾斜面は前記プレス部材に対応して、前記開口部の片側或いは両側に形成されていることを特徴とする、請求項９に記載のプレスロック解除構造を備えたイージーロックコネクタ。
【請求項１１】
前記上部シェルは更に第一スナップ部材、前記ラバーコアは更に第二スナップ部材を含み、前記第一スナップ部材は前記上部本体の両側、前記第二スナップ部材はラバーコアの両側面に形成されており、前記第一スナップ部材は前記第二スナップ部材に対応して設置され、前記第一スナップ部材の前記第二スナップ部材への作用により、前記上部シェルは前記ラバーコアの位置を前記第一収容スペースに限定配置させることを特徴とする、請求項１に記載のプレスロック解除構造を備えたイージーロックコネクタ。
【請求項１２】
前記鉄シェルシールドは更にプレスロック解除構造を備えたイージーロックコネクタに含まれており、しかも前記上部シェルに設置されていることを特徴とする、請求項１に記載のプレスロック解除構造を備えたイージーロックコネクタ。
【請求項１３】
前記鉄シェルシールドは更に第一外側グリップ部材、プラグと第一鉄シェル接地を含み、前記第一外側グリップ部材は前記鉄シェルシールドの両側に形成されており、前記第一鉄シェル接地と前記プラグは前記ラバーコアの前記挿入口近くに設置されており、前記第一鉄シェル接地は前記フラットワイヤの前記アース線に接触することを特徴とする、請求項１２に記載のプレスロック解除構造を備えたイージーロックコネクタ。
【請求項１４】
前記鉄シェルシールドは更に第二シェル接地と第三シェル接地を含み、前記第二シェル接地と前記第三シェル接地は前記鉄シェルシールドのサイドエッジに形成されており、前記第二シェル接地と前記第三シェル接地は前記回路基板の接地端子に接触することを特徴とする、請求項１３に記載のプレスロック解除構造を備えたイージーロックコネクタ。
【請求項１５】
前記上部シェルは更に第二外側グリップ部材、前記ラバーコアは更にソケットと接地開口を含んでおり、前記第二外側グリップ部材は前記第一外側グリップ部材に対応して設置され、前記ソケットはプラグに対応して設置され、前記接地開口は前記第一鉄シェル接地に対応して設置され、前記プラグ、前記第一外側グリップ部材、前記第二外側グリップ部材と前記ソケットによって前記鉄シェルシールドは前記上部シェルと前記ラバーコアをカバーすることを特徴とする、請求項１３に記載のプレスロック解除構造を備えたイージーロックコネクタ。
【請求項１６】
前記第一外側グリップ部材が前記第二外側グリップ部材と組み合って、前記プラグが前記ソケットへ挿入することによって前記鉄シェルシールド、前記ラバーコアと前記上部シェルに浮動式の連結を提供させることを特徴とする、請求項１５に記載のプレスロック解除構造を備えたイージーロックコネクタ。
【考案の詳細な説明】
【技術分野】
【０００１】
本考案は一種のコネクタに関する技術領域であり、フラットワイヤを自動ロックすることができるプレスロック解除構造を備えたイージーロックコネクタである。
【背景技術】
【０００２】
従来のコネクタはワイヤと回路基板の仲介連結パーツであり、そのメリットは回路基板へ直接溶接する必要が無いことであり、ユーザーは安易なプラグの差し抜きによって電力の連結を実現させることができる。コネクタとワイヤをしっかりと接続させるために、様々な接続方式が開発されており、例えば自動ロック方式では自動ロックのコネクタとワイヤは脱落することなく簡単に接続できる。
【考案の概要】
【考案が解決しようとする課題】
【０００３】
コネクタの小型化に伴う高周波問題及び操作困難性の問題による、従来の自動ロックコネクタによって引き起こされる欠点を解決するため、本考案は一種のプレスロック解除構造を備えたイージーロックコネクタを提案する。
【課題を解決するための手段】
【０００４】
本考案の第１の目的は上部シェル、下部シェル、ラバーコアと端子を含むプレスロック解除構造を備えたイージーロックコネクタを提供することであり、複数のパーツ構造は自動ロックとプレスロック解除の機能を有するだけでなく、ノイズに抵抗し高周波環境でのスムーズな信号送信を実現できる。
【０００５】
本考案の第２の目的は前述のプレスロック解除構造を備えたイージーロックコネクタに基づいて、上部シェルによる下部シェルへの間接的駆動によってロック解除を達成することである。
【０００６】
本考案の第３の目的は前述のプレスロック解除構造を備えたイージーロックコネクタに基づいて、ラバーコアを斜面形成させることにより、上部シェルのプレス部材が下部シェルの弾性部材を作用した後に生じる変形量を制限し、過度のプレスによる弾性部材とプレス部材の損傷を抑え、使用寿命を改善することである。
【０００７】
本考案の第４の目的は前述のプレスロック解除構造を備えたイージーロックコネクタに基づいて、下部シェルの弾性部材形状を大きなＲ角度を有するＵ字形にすることによって、上部シェルのプレス部材との干渉性を生成させるだけでなく、操作性にもフィードバック感が感じられる。
【０００８】
本考案の第５の目的は前述のプレスロック解除構造を備えたイージーロックコネクタに基づいて、下部シェルの下部シェル接地部材を第二収容スペースでフラットワイヤのアース線に接触させることにより、高周波数クロストークの影響を改善する。
【０００９】
本考案の第６の目的は前述のプレスロック解除構造を備えたイージーロックコネクタに基づいて、上部シェルは電磁両立性（Ｅｌｅｃｔｒｏｍａｇｎｅｔｉｃ  Ｃｏｍｐａｔｉｂｉｌｉｔｙ、ＥＭＣ）と電磁干渉（Ｅｌｅｃｔｒｏｍａｇｎｅｔｉｃ  Ｉｎｔｅｒｆｅｒｅｎｃｅ、ＥＭＩ）の問題を改善するためのシールド効果を有している。
【００１０】
本考案の第７の目的は前述のプレスロック解除構造を備えたイージーロックコネクタに基づいて、ＥＭＩとＥＭＣの問題を改善するために、更にコネクタを覆う鉄シェルシールドを提供する。
【００１１】
本考案の第８の目的は前述のプレスロック解除構造を備えたイージーロックコネクタに基づいて、鉄シェルシールド、ラバーコアと上部シェルはプラグ、バックルとスナップ等の構造を備えており、浮動的構造を提供しコネクタと回路基板の溶接純度を向上させる。
【００１２】
上記の目的と他の目的を達成するために、本考案は一つのフラットワイヤと一つの回路基板に応用される一種のプレスロック解除構造を備えたイージーロックコネクタを提供する。フラットワイヤの頭部先端両側には其々一つのギャップと一つのアース線がある。プレスロック解除構造を備えたイージーロックコネクタには、一つの上部シェル、一つの下部シェル、一つのラバーコと一つの端子が含まれている。上部シェルは回路基板に設置できる。上部シェルは一つの上部本体と一つのプレス部材を備えた一つの第一収容スペースで形成されている。プレス部材は上部本体の両側の空洞部を通して形成されている。プレス部材は更に一つの第一固定部材を含んでいる。第一固定部材は上部本体の両側に形成されており、第一固定部材は回路基板に固定することができる。下部シェルは第一収容スペースに設置されている。下部シェルは、一つの弾性部材、一つのストッパー部材、一つの延長アームと一つの下部本体を備えた第二収容スペースで形成されている。弾性部材はプレス部材の位置に対応して下部本体の両側に其々設置されている。ストッパー部材はギャップと組み合うようにギャップの位置に合わせて設置され、更にストッパー部材は延長アームを介して弾性部材に連結されている。ラバーコアは第二収容スペースに設置されている。ラバーコアは一つの挿入口、一つの作用部と一つの開口部で形成されている。挿入口はフラットワイヤの挿入と取り外しが可能です。作用部は弾性部材と結合しており、開口部と共に弾性部材を設置するのに使用される。フラットワイヤを電気的に連結できるよう端子はラバーコアに設置されている。ここで、フラットワイヤのギャップがストッパーと組み合った後に、プレス部材をプレスすることで、プレス部材の弾性部材への外的力により、弾性部材の形状変化が発生し、弾性部材の延長アームへの連動がストッパー部材を一方向へ作動させ、ストッパー部材とギャップの組み合わせが解除される。
【００１３】
従来既知の技術と比較して、本考案によって提供されるプレスロック解除構造を備えたイージーロックコネクタは、フラットワイヤに応用され、その結果フラットワイヤは複数式のイージーロックコネクタによって自動的にイージーロックコネクタの収容スペースへロックされ、イージーロックコネクタのプレス部材へ外力を加えることにより、下位シェルの弾性部材へ直接駆動しロック解除が行われる。ここで、ある一つの実施例によるロック解除の過程では、ラバーコアの傾斜面により弾性部材或いは他のパーツを損傷させないようプレス部材が配置制限されている。更に、本考案のイージーロックコネクタは信号伝達の際の外部ノイズの影響、或いは外部部材の信号伝達の際の高周波信号の影響を効果的に防止する事ができる様々な電磁シールド或いは電磁シールド構造を提供する。
【図面の簡単な説明】
【００１４】
【図１】本考案第１実施例によるプレスロック解除構造を備えたイージーロックコネクタの構造図である。
【図２】本考案の図１の端子と下部シェルのフラットワイヤとの連結を示す図である。
【図３】本考案の図１のシェルの構造を示す図である。
【図４ａ】本考案の図１のシェルの側面図である。
【図４ｂ】本考案の図１のシェルのもう一つの側面図である。
【図５】本考案の図１の下部シェルの構造を示す図である。
【図６】本考案の上部シェルと下部シェルを示す断面図である。
【図７】本考案の図１のラバーコアの構造を示す図である。
【図８】本考案の図１のラバーコアの断面図である。
【図９】本考案のプレスロック解除構造を備えたイージーロックコネクタを示す側面図である。
【図１０】本考案第２実施例によるプレスロック解除構造を備えたイージーロックコネクタの構造図である。
【図１１】本考案の図１０の分解図である。
【図１２】本考案のプレスロック解除構造を備えたイージーロックコネクタと回路基板との連結を示す図である。
【考案を実施するための形態】
【００１５】
本考案の目的、特徴及び効果を完全に理解するために、下記の具体的実施例と付属の図式を用いて以下説明の通り本考案の詳細な説明をする。
【００１６】
本考案では「一つ」又は「一個」を用いて本文にて記載されている単元、部材とパーツを記載する。本考案の個数は特に記載がない場合を除き、一つまたは少なくとも一つであり、且つ複数である場合を含むことがある。
【００１７】
本考案において「含む」、「包括する」、「備える」、「含有」という用語、又は他の類似用語は非排他的な包含物もカバーしている。例えば、複数の要素に含まれているユニット、構造、製品、或いはデバイスは本分にリストされたこれらの要素だけに限定されず、明確的にリストされていない該当されるユニット、構造、製品或いは一般的に装置固有の他の要素も含まれる。その他、反対意義の明確な記述がない限り、「又は」という用語は排他的な「又は」ではなく、包括的な「又は」を指している。
【００１８】
本考案の第１実施例による、プレスロック解除構造を備えたイージーロックコネクタの図１構造図を参照されたい。図１では、プレスロック解除構造を備えたイージーロックコネクタ１０（以下、イージーロックコネクタと略す）をフラットワイヤ２（図２の示す図を参照）と接地端子４２を備えた一つの回路基板４（図１２の図を参照）に応用させている。図２において、フラットワイヤ２の頭部先端両側に其々一つのギャップ２２と一つのアース線がある（図面に示さず、フラットワイヤ２の上面および下面に形成されている）。その他、図２ではフラットワイヤ２を電気的に連結できるように、以下言及されている端子１８はラバーコア１６に設置されている。
【００１９】
図１に戻って参照すると、イージーロックコネクタ１０は一つの上部シェル１２、一つの下部シェル１４、ラバーコア１６と端子１８を含む。
【００２０】
図３に示すように、本考案の図１のシェルの構造を示す説明図である。  図３では、上部シェル１２は回路基板４に設置することができる（例えば、溶接、表面粘着等の技術）。上部シェル１２は一つの第一収容スペースＦＳＰを形成する。上部シェル１２は一つの上部本体１２２と一つのプレス部材１２４を有し、本実施例中では、上部シェル１２、上部本体１２２とプレス部材１２４は一つのパーツに形成され、材質は金属である。
【００２１】
図４（ａ）と４（ｂ）を合わせて参照すると、本考案の図１の上部シェルの側面の説明図である。  図４（ａ）は、本考案の図１の上部シェルの外観を示す側面図であり、図４（ｂ）は本考案の図１の上部シェルの内側の側面図である。図４（ａ）では上部本体１２２両側の空洞部１２６を介してプレス部材１２４が形成されており、空洞部１２６を有する理由は、プレス部材１２４のプレス機能を実現させるためである。  その他、プレス部材１２４は更に一つの第一固定部材１２１０を含む。第一固定部材１２１０は上部本体１２２の両側に形成され、第一固定部材１２１０は回路基板４に固定することができ、それにより第一固定部材１２１０は溶接等の方法により回路基板４の接地端子４２に連結することができる。
【００２２】
その他、上部シェル１２は更に第二固定部材１２８を含み、其れは上部シェル１２の第一収容スペースＦＳＰに形成されている。第二固定部材１２８はラバーコア１６を第一収容スペースＦＳＰ内に限定配置させるために、後述するラバーコア１６の開口部１６４に設置されている（図８を参照）。
【００２３】
その他、上部シェル１２は更に接地部材１２１２を含み、回路基板４の接地端子４２或いははフラットワイヤ２のアース線に連結できるように、其れは上部シェル１２の第一収容スペースＦＳＰまで延長している。
【００２４】
その他、上部シェル１２は更に第一スナップ部材１２１４を含み、後述するラバーコア１６の第二スナップ部材１６６の設置に対応するよう（図８を参照）、其れは上部本体１２２の両側に形成され、第一スナップ部材１２１４が第二スナップ部材１６６に作用することで、上部シェル１２がラバーコア１６を第一収容スペースＦＳＰ内に限定配置させている。共に図９を参照して下さい。本考案のプレスロック解除構造を備えたイージーロックコネクタを示す側面図である。
【００２５】
図５を併せて参照して下さい。本考案の図１の下部シェルの構造を示す図です。  図５では下部シェル１４は第一収容スペースＦＳＰに設置されている。下部シェル１４は一つの弾性部材１４２、一つのストッパー部材１４４、一つの延長アーム１４６と一つの下部本体１４８を有する一つの第二収容スペースＳＳＰを形成している。
【００２６】
併せて図６を参照されたい。本考案の上部シェルと下部シェルの断面図です。弾性部材１４２は其々、下部本体１４８の両側に設置され、しかもプレス部材１２４の位置に対応して設置されており、本実施例の中では弾性部材１４２はＲ角のＵ字型部位を有しており、一端は上部シェル１２の内壁に設置されている。例えば、Ｒ角度はＲ０．１より大きい或いは等しく、他の実施例の中ではＲ角度は任意の値を取り得る。ストッパー部材１４４はギャップ２２に基づいて、ギャップ２２と組み合うように設置されており、しかもストッパー部材１４４は延長アーム１４６を介して弾性部材１４２に連結されている。図６では上部シェル１２は更に凸リブ１２４２を含み、凸リブ１２４２は弾性部材１４２に対応して設置されている。凸リブ１２４２は第一収容スペースＦＳＰに向かって凸出している。プレス部材１２４に外力が加えられていないとき、弾性部材１４２とプレス部材１２４は接触していないが、他の実施例の中では弾性部材１４２とプレス部材１２４は接触している。
【００２７】
その他、下部シェル１４は更に接地部材１４１０を含むことができる。接地部材１４１０は回路基板４の接地端子４２に接触することができるように、下部シェル１４から第二収容スペースの外側に向かって延長している。
【００２８】
その他、下部シェル１４は更に第二下部シェル接地部材１４１２を含むことができる（図１１を参照）。第二下部シェル接地部材１４１２は第二収容スペースＳＳＰに形成されている。第二下部シェル接地部材１４１２はフラットワイヤ２のアース線に接触することができるように、下部シェル１４から第二収容スペースＳＳＰに向かって延長している。
【００２９】
図７と図８を一緒に参照されたい。図７は本考案の図１のラバーコアの構造を示す図であり、図８は本考案の図１のラバーコアの断面図である。
【００３０】
図７ではラバーコア１６は第二収容スペースＳＳＰに設置されている。ラバーコア１６は一つの挿入口１６２、一つの作用部１６５と開口部１６４で形成されている。挿入口１６２はフラットワイヤ２の挿入と取り外しが可能である。作用部１６５は弾性部材１４２と結合し、開口部１６４と共に弾性部材１４２に設置するために用いられる。本実施例の中では作用部１６５は凹溝であり、傾斜面１６８が凹溝内に形成され（図１１を参照）、上部シェル１２がラバーコア１６と結合された後、併せて図９を参照、上部シェル１２のプレス部材１２４に外力が加えられたとき、たとえプレス部材１２４が傾斜面１６８に貼りついている状態でも、プレス部材１２４は傾斜面１６８に完全接触し停止するまでプレス部材１２４は凹溝に沈み込む。傾斜面１６８によってプレス部材１２４の動きを制限することにより、プレス部材１２４のプレスの深さを決定することができる。
【００３１】
従って、フラットワイヤ２が挿入口１６２に導入されるとギャップ２２がストッパー部材１４４に接触して、これにより延長アーム１４６と弾性部材１４２の形状が変化し、最後にストッパー１４４がギャップ２２と組み合せる。フラットワイヤ２のギャップ２２がストッパー１４４部材と組み合った後、プレス部材１２４を押すことにより、プレス部材１２４は弾性部材１４２に外力を加え、弾性部材１４２は変形し、更に弾性部材１４２の形状変化量は傾斜面１６８の傾斜率に関連しているので、弾性部材１４２は延長アーム１４６を連動して、ストッパー部材１４４を一方向に作動させ、ストッパー部材１４４がギャップ２２と組み合っている状態を解除し、それによってロック解除の目的を達成する。
【００３２】
図１０を参照されたい。本考案第二実施例によるプレスロック解除構造を備えたイージーロックコネクタの構造図である。図１０ではプレスロック解除構造を備えたイージーロックコネクタ１０'は第一実施例の上部シェル１２、下部シェル１４、ラバーコア１６と端子１８を含んでいるだけではなく、更に鉄シェルシールド２０も含まれる。
【００３３】
上部シェル１２、下部シェル１４、ラバーコア１６と端子１８の説明は前述の通りであるので再度説明しない。
【００３４】
鉄シェルシールド２０は上部シェル１２に設置され、その構造は図１１に描写されている。図１１は本考案の図１０の分解図である。図１１では鉄シェルシールド２０は更に第一外側クリップ部材２０２、第一鉄シェル接地２０４とプラグ２０６を含む。第一外側クリップ部材２０２は鉄シェルシールド２０の両側に形成されており、第一鉄シェル接地２０４とプラグ２０６はラバーコア１６の近くの挿入口１６２に設置されている。第一鉄シェル接地２０４はフラットワイヤ２に接触することができるアース線である。
【００３５】
また、上部シェル１２は更に第二外側グリップ１２１６を含み、ラバーコア１６は更にソケット１６１０と接地開口１６１２を含む。第二外側グリップ１２１６は第一外側グリップ２０２に対応して設置されている。ソケット１６１０はプラグ２０６に対応して設置されており、接地開口１６１２は第一鉄シェル接地２０４に対応して設置されている。プラグ２０６、第一外側グリップ２０２、第二外側グリップ１２１６とソケット１６１０により、鉄シェルシールド２０は上部シェル１２とラバーコア１６をカバーする。
【００３６】
図１２を併せて参照されたい。本考案のプレスロック解除構造を備えたイージーロックコネクタと回路基板との連結を示す図である。図１２の中で上部シェル１２、下部シェル１４、ラバーコア１６、端子１８と鉄シェルシールド２０の他、鉄シェルシールド２０は更に第二シェル接地２０８と第三シェル接地２０１０を含む。第二シェル接地２０８と第三シェル接地２０１０は鉄シェルシールド２０のサイドエッジに形成されており、第二シェル接地２０８と第三シェル接地２０１０は回路基板４の接地端子４２に接触することができる。特に注意して頂きたいのは、前述したプラグ２０６、第一外側グリップ２０２、第２外側グリップ１２１６とソケット１６１０の構造により、例えば上下方向の浮動効果を生成、即ち第一外側グリップ２０２と第二外側グリップ１２１６の設計により、例えば第一外側グリップ２０２は開口部であり、第二外側グリップ１２１６は凸ピースである場合、開口部が凸ピースより大きいとき、凸ピースは開口部内で移動することができ、鉄シェルシールド２０の第二シェル接地２０８と第三シェル接地２０１０は回路基板４の表面で位置調整できるのでスムーズに回路基板４に溶接することができる。
【００３７】
本考案は上記の通りやや好都合である実施例で開示されているが、本技術の熟練者が理解すべきことは実施例は本考案を説明するためにのみ使用され、本考案の範囲を限定して解釈されるべきでないことである。注意すべきことは、例えと実施例での効用の変化と変換は全て本考案の範囲に含まれることである。従って、本考案の保護範囲は特許出願者が定めるものとする。
【符号の説明】
【００３８】
２  ．．．フラットワイヤ
２２  ．．．ギャップ
４  ．．．回路基板
４２  ．．．接地端子
１０、１０  ｀．．．  プレスロック解除構造を備えたイージーロックコネクタ
１２  ．．．上部シェル
１２２  ．．．上部本体
１２４  ．．．プレス部材
１２４２  ．．．凸リブ
１２６  ．．．空洞部
１２８  ．．．  第二固定部品
１２１０  ．．．  第一固定部品
１２１２  ．．．接地部材
１２１４  ．．．第一スナップ部材
１４  ．．．下部シェル
１４２  ．．．弾性部材
１４４  ．．．ストッパー部材
１４６  ．．．延長アーム
１４８  ．．．下部本体
１４１０  ．．．接地部材
１４１２  ．．．  第二下部シェル接地部材
１６  ．．．ラバーコア
１６２  ．．．挿入口
１６４  ．．．開口部
１６５  ．．．作用部
１６６  ．．．第二スナップ部材
１６８  ．．．傾斜面
１６１０  ．．．ソケット
１６１２  ．．．接地開口
１８  ．．．端子
２０  ．．．鉄シェルシールド
２０２  ．．．第一外側グリップ部材
２０４  ．．．第一鉄シェル接地
２０６  ．．．プラグ
２０８  ．．．第二シェル接地
２０１０  ．．．第三シェル接地
ＦＳＰ  ．．．第一収容スペース
ＳＳＰ  ．．．第二収容スペース
【図１】
0003233851.tif 000003
【図２】
0003233851.tif 000004
【図３】
0003233851.tif 000005
【図４ａ】
0003233851.tif 000006
【図４ｂ】
0003233851.tif 000007
【図５】
0003233851.tif 000008
【図６】
0003233851.tif 000009
【図７】
0003233851.tif 000010
【図８】
0003233851.tif 000011
【図９】
0003233851.tif 000012
【図１０】
0003233851.tif 000013
【図１１】
0003233851.tif 000014
【図１２】
0003233851.tif 000015